(57)【特許請求の範囲】
【請求項１】
電線端末の端子が収容されたコネクタハウジングと、
前記コネクタハウジングの電線引出側に装着されて電線を外部へ導き出すカバーと、
前記コネクタハウジングに回転自在に取り付けられ前記コネクタハウジングに相手側コネクタを半嵌合させた状態で回転させることで相手側コネクタを半嵌合位置から正規嵌合位置まで移動させるレバーと、
前記レバーに設けられた係止部と、
前記カバーに設けられ、前記コネクタハウジングと相手側コネクタとを正規嵌合させた前記レバーの係止部が係合するロック部と、を有するレバー式コネクタであって、
前記係止部にレバー爪部が設けられ、
前記ロック部はロックアームの先端部に設けられ、
前記ロックアームが可撓性を有し、
前記レバー爪部が前記ロック部と係合方向側に、前記ロック部を覆うようにロック保護部が形成され、
前記レバーの回転時に前記レバー爪部が前記ロックアームを撓み変形させ前記正規嵌合位置で前記ロックアームのロック部をレバー爪部が乗り越えた状態でロック部の先端係合部とレバー爪部とが係合すると共に、ロック部が自身の弾性力で変位し、
前記ロック部と前記ロック保護部が平面同士で当接することを特徴とするレバー式コネクタ。
【発明の詳細な説明】
【技術分野】
【０００１】
本発明は、レバーの回転によって相手コネクタを嵌合させるレバー式コネクタに関する。
【背景技術】
【０００２】
従来からレバーの回転によって相手コネクタを嵌合させるレバー式コネクタとして、例えば、特開２００７−１１５４４３号公報（特許文献１）に記載されたレバー式コネクタが提案されている。このレバー式コネクタは、レバーの回転によって相手コネクタをコネクタハウジングの半嵌合位置から正規嵌合位置まで引き込み、これによって嵌合作業が容易になると共に嵌合作業の確実性等を図ることができるものである。
【０００３】
図６に示すように、レバー式コネクタ１００は、電線Ｗ付きの端子（図示省略）が装着されたコネクタハウジング１０１と、このコネクタハウジング１０１に取り付けられ、コネクタハウジング１０１のキャビティ１０１ｂからカバー方向に導出された電線Ｗの向きを電線Ｗの導出方向から０゜〜９０゜の範囲で収束するために略コネクタハウジング１０１の長手方向の範囲で内部に収容して電線束として外部へと導き出すカバー１０２と、コネクタハウジング１０１の回転軸ピン１０１ａを中心に回転自在に取り付けされたレバー１０３とから構成されている。
【０００４】
コネクタハウジング１０１はキャビティ１０１ｂを有し、このキャビティ１０１ｂに電線Ｗ付きの端子が装着されている。カバー１０２はキャビティ１０１ｂの外側を被うようにコネクタハウジング１０１に取り付けされている。カバー１０２にはロック係止部１０４が設けられている。ロック係止部１０４はカバー１０２の外面より一部突出し、この突出箇所を押圧すると、カバー１０２の内側に撓み変形する。
【０００５】
レバー１０３は、コネクタハウジング１０１に対し待機位置とロック位置（図６に示すの位置）との間で回転自在に取り付けられている。レバー１０３にはカム溝１０３ａが形成されている。
【０００６】
次に、相手側コネクタ（図示省略）の嵌合作業を説明する。
【０００７】
先ず、操作者が相手側コネクタを矢印Ａ方向からコネクタハウジング１０１に挿入し、相手側コネクタのカムピン（図示省略）をレバー１０３のカム溝１０３ａに係合する半嵌合位置にセットする。次に、待機位置に位置するレバー１０３を矢印Ｂ方向に回転すると、このレバー１０３の回転によってカム溝１０３ａよりカムピンが押圧力を受け、相手側コネクタが徐々にコネクタハウジング１０１の正規嵌合位置側に変移される。また、レバー１０３の回転位置がロック位置の手前位置まで達すると、レバー１０３がカバー１０２のロック係止部１０４を押圧し、ロック係止部１０４がカバー１０３の内側（図６のＦ方向）に撓み変形する。これによってレバー１０３の回転が許容される。レバー１０３をロック位置まで回転すると、相手側コネクタが正規嵌合位置まで引き込まれる。さらに、レバー１０３がロック位置まで達すると、レバー１０３がロック係止部１０４を押圧しなくなり、ロック係止部１０４がカバー１０２の外側（図６のＦ方向の反対）に向かって撓み復帰変形してレバー１０３をロックする。
【０００８】
次に、相手側コネクタの嵌合解除作業を説明する。
【０００９】
先ず、操作者がロック係止部１０４を押下し、ロック位置のレバー１０３を待機位置まで回転すると、相手側コネクタが正規嵌合位置から半嵌合位置まで引き離される。半嵌合位置の相手側コネクタを操作者がコネクタハウジング１０１から引き離せば完了する。
【先行技術文献】
【特許文献】
【００１０】
【特許文献１】特開２００７−１１５４４３号公報
【発明の概要】
【発明が解決しようとする課題】
【００１１】
しかしながら、上述した従来のコネクタハウジング１０１では、レバー１０３をロックした際に、カバー１０２のロック係止部１０４が外部に露出しているため、不用意に外力が付与されると、ロック係止部１０４が破損及び変形し易く、ロックしていたレバー１０３が容易に解除されるため、レバー１０３のロック保持力が低いという問題があった。
【００１２】
そこで、本発明はこのような従来の課題を解決するためになされたものであり、その目的とするところは、破損及び変形を防止し、ロック保持力が高いレバー式コネクタを提供することにある。
【課題を解決するための手段】
【００１３】
上記目的を達成するため、本願請求項１に記載の発明は、電線端末の端子が収容されたコネクタハウジングと、前記コネクタハウジングの電線引出側に装着されて電線を外部へ導き出すカバーと、前記コネクタハウジングに回転自在に取り付けられ前記コネクタハウジングに相手側コネクタを半嵌合させた状態で回転させることで相手側コネクタを半嵌合位置から正規嵌合位置まで移動させるレバーと、前記レバーに設けられた係止部と、前記カバーに設けられ前記コネクタハウジングと相手側コネクタとを正規嵌合させた前記レバーの係止部が係合するロック部と、を有するレバー式コネクタであって、前記係止部にレバー爪部が設けられ、前記ロック部はロックアームの先端部に設けられ、前記ロックアームが可撓性を有し、前記レバー爪部が前記ロック部と係合方向側に、前記ロック部を覆うようにロック保護部が形成され、前記レバーの回転時に前記レバー爪部が前記ロックアームを撓み変形させ前記正規嵌合位置で前記ロックアームのロック部をレバー爪部が乗り越えた状態でロック部の先端係合部とレバー爪部とが係合すると共に、ロック部が自身の弾性力で変位し、前記ロック部と前記ロック保護部が平面同士で当接することを特徴とする。
【発明の効果】
【００１５】
請求項１に記載の発明によれば、レバーに設けられたレバー爪部がカバーに設けられたロック部と係合方向側に、ロック部を覆うようにロック保護部が形成されている。そのため、レバー爪部とロック部が係止することによりレバーをロックした後、ロック保護部がロック部を覆うことになり、ロック部が破損及び変形することを確実に防止することができる。
【００１６】
また、ロック保護部がロック部を覆うことにより、外部から力が加わった場合でもロックしていたレバーが解除されることがない。従って、破損及び変形を防止し、ロック保持力が高いレバー式コネクタを提供することができる。
【００１７】
さらに、ロック部の先端係合部とレバー爪部とが係合すると共に、ロック部が自身の弾性力でロック保護部に当接するため、ロック音を得ることができ、ロック音によりレバーのロック完了を確認することができる。
【図面の簡単な説明】
【００１８】
【図１】本発明の一実施形態に係るレバー式コネクタの嵌合前の斜視図である。
【図２】本発明の一実施形態に係るレバー式コネクタの一部嵌合後の斜視図である。
【図３】本発明の一実施形態に係るレバー式コネクタの嵌合後の斜視図である。
【図４】本発明の一実施形態に係るレバー式コネクタの係合後のＡ−Ａ断面図及び係止部とロック部の拡大図である。
【図５】本発明の一実施形態に係るレバー式コネクタの係合後ロック部がロック保護部に当接した場合のＢ−Ｂ断面図及び係止部とロック部の拡大図である。
【図６】従来におけるレバー式コネクタの側面図である。
【発明を実施するための形態】
【００１９】
以下、本発明の実施形態について図面を参照して説明する。図１は、本発明の一実施形態に係るレバー式コネクタの嵌合前の斜視図である。図２は、本発明の一実施形態に係るレバー式コネクタの一部嵌合後の斜視図である。図３は、本発明の一実施形態に係るレバー式コネクタの嵌合後の斜視図である。図４（ａ）は、本発明の一実施形態に係るレバー式コネクタの係合後の側面図及びＡ−Ａ断面図である。図４（ｂ）は、本発明の一実施形態に係るレバー式コネクタの係合後の係止部とロック部の拡大図である。図５（ａ）は、本発明の一実施形態に係るレバー式コネクタの係合後ロック部がロック保護部に当接した場合の側面図及びＢ−Ｂ断面図である。図５（ｂ）は、本発明の一実施形態に係るレバー式コネクタの係合後ロック部がロック保護部に当接した場合の係止部とロック部の拡大図である。
【００２０】
はじめに、図１及び図２を参照して、本発明の実施形態に係るレバー式コネクタの構成について説明する。
【００２１】
図１及び図２に示すように、レバー式コネクタ１は、互いに嵌合及び嵌合解除が可能な雌コネクタ１０、雄コネクタ２０と、雌コネクタ１０側に回転自在に取り付けられたレバー３０と、概略ドーム形状を有し、電線Ｗを外部へ導き出すワイヤーカバー４０から略構成されている。
【００２２】
雌コネクタ１０は、図２に示すように、雌コネクタ側端子収容室が形成されたコネクタ本体（図示省略）と、内部で雄コネクタ２０を嵌合する嵌合フード１２と、嵌合フード１２の左右両外側面に突出形成された一対のカムピン１３から構成されている。
【００２３】
雄コネクタ２０は、図１及び図２に示すように、電線端末の端子（図示省略）を収容する複数の雄コネクタ側端子収容室２１を備えたコネクタハウジング２２と、レバー３０をコネクタハウジング２２に回転自在に取り付ける回転軸ピン２３から構成されている。
【００２４】
レバー３０は、左右一対のアーム部３１、３１と、これらのアーム部３１、３１をつなぐ連結部３８から構成されている。アーム部３１、３１は、コネクタハウジング２２の回転軸ピン２３が挿入される回転軸孔３２と、アーム部３１、３１の円周方向に沿って回転軸孔３２からの距離を可変するカム溝３３と、レバー３０を回動操作する操作部３４と、から構成されている。操作部３４は、連結部３８に設けられており、該操作部３４には、可撓性を有し、回転移動したレバー３０を係止する係止部３５が設けられている。
【００２５】
図４に示すように、係止部３５にはレバー爪部３６が設けられており、後述するロック部４５と係止される。また、係止部３５には、レバー爪部３６が後述するロック部４５と係合方向側に、ロック部４５を覆うようにロック保護部３７が形成されている。
【００２６】
図１及び図２に示すように、ワイヤーカバー４０は、コネクタハウジング２２のからワイヤーカバー４０方向に導出された電線Ｗの向きを電線Ｗの導出方向Ｘから０゜〜９０゜の範囲の方向Ｙに収束するためにコネクタハウジング２２の略長手方向の範囲で内部に収容して電線束として外部へと導き出すカバー本体４１と、可撓性を有し、概略ドーム形状の天井箇所に設けられたロックアーム４２から構成されている。
【００２７】
カバー本体４１は、コネクタハウジング２２の雄コネクタ側端子収容室２１を被うように配置されるカバー部４３と、カバー本体４１に形成された開口部から電線Ｗを外部へ導き出す電線引出部４４から構成されている。
【００２８】
図３及び図４に示すように、ロックアーム４２の先端部には、ロック部４５が設けられており、上述したように、アーム部３１に設けられた係止部３５と係止される。具体的には、レバー３０の回転時にレバー爪部３６（図４（ｂ）参照）がロックアーム４２を図４（ａ）及び図５（ａ）に示すＦ方向に撓み変形させ正規嵌合位置でロックアーム４２のロック部４５をレバー爪部３６が乗り越えた状態でロック部４５の先端係合部４６とレバー爪部３６が係合することによりレバー３０をロックする。
【００２９】
図４及び図５に示すように、係止部３５は、断面が略ク字状に形成されおり、ロック部４５の先端係合部４６とレバー爪部３６が係合した場合、ロック保護部３７は、ロック部４５を覆うように構成されている。従って、ロック部が外部に露出していないので、外力が付与されても直接ロック部４５に力が加えられないので、ロック部４５が破損及び変形することを確実に防止することができる。また、ロック保護部３７がロック部４５を覆うことにより、外部から力が加わった場合でもロックしていたレバー３０が不用意に回動することがなく、雌コネクタ１０と雄コネクタ２０の嵌合状態が解除されることがない。
【００３０】
さらに、図５に示すように、ロック部４５はレバー爪部３６とロック保護部３７の間に当接可能に形成されている。そして、レバー３０の回転時にレバー爪部３６がロックアーム４２を図４及び図５に示すＦ方向に撓み変形させ正規嵌合位置でロックアーム４２のロック部４５をレバー爪部３６が乗り越えた状態でロック部４５の先端係合部４６とレバー爪部３６が係合すると共に、ロックアーム４２が可撓性を有しているため、ロック部４５が自身の弾性力でロック保護部３７に当接する（図５（ｂ）参照）。このように、ロック部４５がロック保護部３７を叩打するため、大きなロック音を得ることができ、ロック音によりレバー３０のロック完了を確認することができる。
【００３１】
また、図５に示すように、ロック部４５はロック保護部３７と当接する場合に、ロック保護部３７の叩打される面はロック部４５の叩打する面とほぼ水平であり、ロック部４５とロック保護部３７は平面同士で当接するため、より大きなロック音を得ることができる。
【００３２】
さらに、大きなロック音を得るために、ロックアーム４２の弾性反力を強化、及び、ロック部４５の撓み変形させた場合の復帰速度を速めるように構成してもよい。また、レバー３０の係止部３５、及び、ロックアーム４２のロック部４５を、叩打することにより大きなロック音を発生するロック音発生部材で構成してもよい。
【００３３】
次に、本発明の実施形態に係るレバー式コネクタ１の嵌合作業について説明する。
【００３４】
先ず、コネクタハウジング２２の上面に被せるようにワイヤーカバー４０を組み付け、コネクタハウジング２２の回転軸ピン２３をレバー３０の回転軸孔３２に通すことにより、レバー３０を回転自在に取り付ける。
【００３５】
そして、操作者が雌コネクタ１０を図１の矢印Ａ方向から雄コネクタ２０のコネクタハウジング２２内に挿入する。コネクタハウジング２２に挿入した雌コネクタ１０のカムピン１３をレバー４のカム溝４３に係合し、雌コネクタ１０をコネクタハウジング２２に対して半嵌合位置にセットする。
【００３６】
次に、待機位置（図２に示す位置）に位置するレバー３０を図２の矢印Ｂ方向に回転すると、このレバー３０の回転によってカム溝３３よりカムピン１３が押圧力を受け、雌コネクタ１０の端子が徐々にコネクタハウジング２２の正規嵌合位置側に変移される。また、レバー３０の回転位置がロック位置（図３に示す位置）の手前位置にまで達すると、係止部３５のレバー爪部３６がワイヤーカバー４０に設けられたロックアーム４２を図４及び図５に示すＦ方向に撓み変形させ正規嵌合位置でロックアーム４２のロック部４５をレバー爪部３６が乗り越えた状態でロック部４５の先端係合部４６とレバー爪部３６とが係合すると共に、ロック部４５が自身の弾性力でロック保護部３７に当接する。
【００３７】
次に、本発明の実施形態に係るレバー式コネクタ１の嵌合解除作業を説明する。
【００３８】
先ず、操作者がロック部４５を図４及び図５に示すＦ方向に押下し、ロック位置のレバー３０を待機位置（図２に示す位置）まで回転すると、雌コネクタ１０の端子が正規嵌合位置から半嵌合位置まで引き離される。半嵌合位置の雌コネクタ１０の端子を操作者がコネクタハウジング２２から引き離せば、雌コネクタ１０の嵌合解除作業が完了する。
【００３９】
このようにして、本発明の実施形態に係るレバー式コネクタ１は、電線端末の端子が収容されたコネクタハウジングと２２、コネクタハウジングの電線引出側に装着されて電線を外部へ導き出すワイヤーカバー４０と、コネクタハウジング２２に回転自在に取り付けられコネクタハウジング２２に雌コネクタ１０を半嵌合させた状態で回転させることで雌コネクタ１０を半嵌合位置から正規嵌合位置まで移動させるレバー３０と、レバー３０に設けられた係止部３５と、ワイヤーカバー４０に設けられ、コネクタハウジング２２と雌コネクタ１０とを正規嵌合させたレバー３０の係止部３５が係合するロック部４５と、を有するレバー式コネクタであって、係止部３５にレバー爪部３６が設けられ、ロック部４５はロックアーム４２の先端部に設けられ、係止部３５又はロックアーム４２のいずれか一方が可撓性を有し、レバー爪部３６がロック部４５と係合方向側に、ロック部４５を覆うようにロック保護部３７が形成されている。
【００４０】
そして、本発明の実施形態に係るレバー式コネクタ１によれば、レバー３０に設けられたレバー爪部３６がワイヤーカバー４０に設けられたロック部４５と係合方向側に、ロック部４５を覆うようにロック保護部３７が形成されている。そのため、レバー爪部３６とロック部４５が係止することによりレバー３０をロックした後、ロック保護部３７がロック部４５を覆うことになり、ロック部４５が破損及び変形することを確実に防止することができる。
【００４１】
また、ロック保護部３７がロック部４５を覆うことにより、外部から力が加わった場合でもロックしていたレバー３０が解除されることがない。従って、破損及び変形を防止し、ロック保持力が高いレバー式コネクタ１を提供することができる。
【００４２】
また、本発明の実施形態に係るレバー式コネクタ１は、ロックアーム４２が可撓性を有し、レバー３０の回転時にレバー爪部３６がロックアーム４２を撓み変形させ正規嵌合位置でロックアーム４２のロック部４５をレバー爪部３６が乗り越えた状態でロック部４５の先端係合部４６とレバー爪部３６とが係合すると共に、ロック部４５が自身の弾性力でロック保護部３７に当接する。
【００４３】
そして、本発明の実施形態に係るレバー式コネクタ１によれば、ロック部４５の先端係合部４６とレバー爪部３６とが係合すると共に、ロック部４５が自身の弾性力でロック保護部３７に当接するため、ロック音を得ることができ、ロック音によりレバーのロック完了を確認することができる。
【００４４】
以上、本発明のレバー式コネクタを図示の実施形態に基づいて説明したが、本発明はこれに限定されるものではなく、各部の構成は、同様の機能を有する任意の構成のものに置き換えることができる。
【００４５】
例えば、上記した実施形態では、レバー式コネクタ１のロック保護部３７は、断面が略ク字状に形成されている場合について説明したが、ロック部４５の周囲を覆う形状であれば適宜変更が可能である。
【産業上の利用可能性】
【００４６】
本発明は、レバーの回転によって相手コネクタを嵌合させるレバー式コネクタの破損及び変形を防止し、ロック保持力を高める上で極めて有用である。
【符号の説明】
【００４７】
１      レバー式コネクタ
１０    雌コネクタ
１２    嵌合フード
１３    カムピン
２０    雄コネクタ
２１    雄コネクタ側端子収容室
２２    コネクタハウジング
２３    回転軸ピン
３０    レバー
３１    アーム部
３２    回転軸孔
３３    カム溝
３４    操作部
３５    係止部
３６    レバー爪部
３７    ロック保護部
３８    連結部
４０    ワイヤーカバー
４１    カバー本体
４２    ロックアーム
４３    カバー部
４４    電線引出部
４５    ロック部
４６    先端係合部
【図１】
0005555497.tif 000002
【図２】
0005555497.tif 000003
【図３】
0005555497.tif 000004
【図４】
0005555497.tif 000005
【図５】
0005555497.tif 000006
【図６】
0005555497.tif 000007